(57)【要約】【課題】１人の作業者で、正確かつ容易に測定対象穴３の中心を求めることが可能な、パイプの配管のために天井等に設けた穴の中心を求めるための芯出し装置を提供する。【解決手段】本体１と、本体１に対して角度変更可能なアーム２と、測定対象穴３の中心の直下の位置を示す中心表示具４を有し、前記アーム２の開く角度を調節することにより測定対象穴３の周囲部に掛止させられるようにしている。前記アーム２は３本とし、各アーム２が等角度間隔で設けられたものとすることができる。また、螺子が形成された上下方向に延びる軸体５と、軸体５の螺子に螺合して上下に移動する移動体６と、軸体５を回転させるための操作部７を有し、アーム２と移動体６の間に連結片８を設け、軸体５を正逆に回転させると、移動体６が上下するのに伴ってアーム２が開閉するようにすることができる。【選択図】図１
2010196387.tif 000002
【特許請求の範囲】
【請求項１】
本体（１）と、本体（１）に対して角度変更可能なアーム（２）と、測定対象穴（３）の中心の直下の位置を示す中心表示具（４）を有し、前記アーム（２）の開く角度を調節することにより測定対象穴（３）の周囲部に掛止させられるようにしたことを特徴とする芯出し装置。
【請求項２】
３本のアーム（２）が等角度間隔で設けられた請求項１記載の芯出し装置。
【請求項３】
螺子が形成された上下方向に延びる軸体（５）と、軸体（５）の螺子に螺合して上下に移動する移動体（６）と、軸体（５）を回転させるための操作部（７）を有しており、アーム（２）と移動体（６）の間に連結片（８）を設け、軸体（５）を正逆に回転させると、移動体（６）が上下するのに伴ってアーム（２）が開閉するようにした請求項１又は２記載の芯出し装置。
【発明の詳細な説明】
【技術分野】
【０００１】
この発明は、各種のパイプの配管のために天井に設けた穴等の中心を求めるための芯出し装置に関するものである。
【背景技術】
【０００２】
従来、各種のパイプの配管等のため建物の天井に設けた穴の中心を求めるには、非特許文献１に記載のような、ワイヤで錘をぶら下げられるようにした下げ振りを用いている。この下げ振りは、天井面において前記穴から所定の距離を置いた位置に、ワイヤの上端を磁石等で固定し、錘を床面付近に達するように吊り下げて使用されるものであり、錘の先端が床面上に指し示す位置を基準に、前記穴からの距離と穴の半径を足すことにより、穴の中心を求めることができる。
【０００３】
しかしながら、磁石でワイヤの上端を固定できない場合には、ワイヤの上端を支持する者と、距離を計測する者の２人の作業者を要することになる。また、人手によってワイヤの上端を支持すると、手振れのために測定を正確に行うことができないことがあり、さらに、前記穴からの距離に穴の半径を足す計算の際に間違いが生じる可能性もある。
【先行技術文献】
【非特許文献】
【０００４】
【非特許文献１】株式会社タジマツール、“タジマピーキャッチクイックブラ”、［平成２１年２月２日検索］、インターネット＜ＵＲＬ:http://www.kouguya.com/QB.htm＞
【発明の概要】
【発明が解決しようとする課題】
【０００５】
そこで、この発明は、１人の作業者で、正確かつ容易に測定対象穴の中心を求めることが可能な芯出し装置を提供することを課題とする。
【課題を解決するための手段】
【０００６】
前記課題を解決するため、この発明は次のような技術的手段を講じている。
【０００７】
この発明の芯出し装置は、本体１と、本体１に対して角度変更可能なアーム２と、測定対象穴３の中心の直下の位置を示す中心表示具４を有し、前記アーム２の開く角度を調節することにより測定対象穴３の周囲部に掛止させられるようにしたものとしている。
【０００８】
また、３本のアーム２が等角度間隔で設けられたものとすることができる。
【０００９】
さらに、螺子が形成された上下方向に延びる軸体５と、軸体５の螺子に螺合して上下に移動する移動体６と、軸体５を回転させるための操作部７を有しており、アーム２と移動体６の間に連結片８を設け、軸体５を正逆に回転させると、移動体６が上下するのに伴ってアーム２が開閉するようにしたものとすることができる。
【発明の効果】
【００１０】
この発明の芯出し装置は、上述のような構成を有しており、アーム２を利用して測定対象穴３の周囲部に掛止させることができ、しかも、中心表示具４が測定対象穴３の中心の直下の位置を示すようになっているので、１人の作業者で、正確かつ容易に測定対象穴３の中心を求めることができる。
【図面の簡単な説明】
【００１１】
【図１】この発明の実施形態の芯出し装置を測定対象穴に掛止させた状態の説明図である。
【図２】この発明の実施形態の芯出し装置の一部断面を示した説明図である。
【図３】この発明の実施形態の芯出し装置のアームを開いた状態の上方から見下ろした場合の説明図である。
【図４】この発明の実施形態の芯出し装置のアームを閉じた状態の正面図である。
【発明を実施するための形態】
【００１２】
以下、この発明の好適な実施形態を、図面を参照して説明する。
【００１３】
この芯出し装置は、図１に示したように、本体１と、本体１に対して角度変更可能なアーム２と、測定対象穴３の中心の直下の位置を示す中心表示具４を有し、前記アーム２の開く角度を調節することにより測定対象穴３の周囲部に掛止させられるようにしたものである。
【００１４】
本体１、アーム２、中心表示具４その他の構成部材は、金属、プラスチックその他適宜の素材からなるものとすることができる。本体１は円筒状であり、螺子が形成された上下方向に延びる軸体５と、軸体５の螺子に螺合する移動体６と、軸体５を回転させるための操作部７が設けられている。
【００１５】
軸体５は、本体１の長尺方向に延びる中心線（図示せず）に沿って、本体１内部から本体１上方に突出する棒状のものである。軸体５の外周にはほぼ全長にわたって螺子が形成されている。軸体５の長さは、アーム２をほぼ垂直に閉じたときに、軸体５の上端と後述の連結片８の上端がほぼ同じ高さになるように設定するとよい（図４参照）。
【００１６】
移動体６は、内周面に前記軸体５の螺子と螺合する螺子を形成した筒状のもので、上端部が拡径した鍔部６ａとなっており、鍔部６ａの下に各アーム２に連結される連結片８の一端を取り付けるための軸着部６ｂを有する。
【００１７】
操作部７は、本体１と同じ径の円筒状のものであり、本体１の中心線の周りに回転可能になっている。操作部７には軸体５の下端部が固定されており、操作部７を回転させると軸体５も回転するようになっている。
【００１８】
図２に示したように、操作部７の内部には、後述の中心表示具４のワイヤ４ａを巻き取るための巻き取り装置９が設けられている。この巻き取り装置９は、本体１の中心線の周りにワイヤ４ａを巻回させられるようにしたものであり、その下方にはワイヤ通し部１０が設けられている。
【００１９】
ワイヤ通し部１０には、本体１の長尺方向に延びるワイヤ４ａを挿通可能な通し穴１０ａと、この通し穴１０ａを横切る窪み１０ｂが形成されており、本体１に設けた孔から棒状の止め具１１を差し込んで窪み１０ｂに嵌合させ、ワイヤ４ａを止め具１１の先端部と窪み１０ｂの間に挟むことにより、中心表示具４のワイヤ４ａに吊り下げられた錘４ｂを所定の高さに維持できるようにしている。
【００２０】
本体１の外周には、水平器１２が設けられており、測定の際、本体１が傾斜しているか否かを確認することができるようになっている。この実施形態では、水平器１２は気泡菅式のものとしている。
【００２１】
本体１には、３本のアーム２が軸着部１ａを介して設けられている。各アーム２は、数十ｃｍ程度の長さの棒状のものであり、一端が前記軸着部１ａに軸着され回動することにより、上げ下げ可能になっている。アーム２の本数は３本に限定されないが、各アーム２は本体１の中心線に関して等角度間隔で設けることが望ましい。３本のアーム２の場合は、１２０度間隔ごとに設けるとよい（図３参照）。各アーム２には互いに異なる色や模様を付して、他のアーム２との区別ができるようにするとよい。
【００２２】
各アーム２の他端２ａは球状になっており、これが天井に設けた測定対象穴３の内周面３ａや上側の周囲の面３ｂ等、測定対象穴３の周囲部に接触して引っ掛かるようにしている。アーム２の球状の他端２ａは、接触面との摩擦が大きく弾力性のあるゴム等の素材からなるものとすることができる。また、各アーム２の他端２ａ付近は略Ｓ字状に２段階に折れ曲がった形状となっており、他端２ａが測定対象穴３の周囲部に引っ掛かり易い位置及び角度となるようにしている。
【００２３】
各アーム２と移動体６の間には連結片８を設けている。連結片８は棒状のものであり、その一端８ａ、他端８ｂは、それぞれ移動体６、アーム２に回動可能に取り付けられている。一端８ａ、他端８ｂは、回動可能に軸着されたものとすることができる。連結片８の他端８ｂは、アーム２の中央より一端１ａ側寄りの位置に取り付けられている。
【００２４】
軸体５を正逆に回転させると、移動体６が上下する。すなわち、軸体５を正方向（例えば、上方から見て時計方向とする）に回転させると、軸体５と移動体６が相対回転して移動体６が上昇し、軸体５を逆方向に回転させると、前述の場合とは逆向きに相対回転して移動体６が下降する。そして、この移動体６の上昇、下降にともなって連結片８が上下し、アーム２を上げ下げすることにより、アーム２を開閉させることができる。
【００２５】
連結片８の長さや、その他端８ｂのアーム２への取り付け位置等は、移動体６が可動範囲の最上部に達したときにアーム２がほぼ垂直になり、移動体６が最下部に達したときにアーム２がほぼ水平に開くように適宜設定するとよい。この実施形態では、図４から分かるように、連結片８の長さと、アーム２における連結片８の他端８ｂとの軸着箇所から本体１との軸着箇所１ａまでの距離を合わせた長さが、移動体６が可動範囲の最上部に達したときの移動体６から本体１上端までの距離とほぼ同じになるようにしている。
【００２６】
中心表示具４は、従来からあるワイヤ４ａと錘４ｂからなる下げ振りと基本的に同様な構成のもので、本体１の下方に位置する。ワイヤ４ａと錘４ｂは、本体１の中心線の延長上に位置するように設けられている。中心表示具４は、レーザー照射によって、床面上に測定対象穴３の中心を示すようにしたものとしてもよい。
【００２７】
この芯出し装置を使用するには、まず、本体１を持ち上げ、各アーム２の他端２ａを測定対象穴３の周囲付近に位置させる。
【００２８】
そして、操作部７を回転させることにより各アーム２を開く。各アーム２の他端２ａが天井に設けた測定対象穴３の測定対象穴３の内周面３ａ、あるいは上側の周囲の面３ｂ等、測定対象穴３の周囲部に接触して引っ掛かることにより、芯出し装置は測定対象穴３の周囲部に掛止された状態になる。
【００２９】
次に、本体１の水平器１２を見ながら、本体１の長尺方向が鉛直方向の向きと一致するように本体１の角度を調整する。そして、止め具１１を解除することにより、中心表示具４（下げ振り）のワイヤ４ａを引き出し、錘４ｂを床面付近まで降ろす。錘４ｂの直下の床面の位置が、測定対象穴３の中心の真下である。
【００３０】
この芯出し装置は、上記のようにして取り付けられる為、中心表示具４が示す位置の真上がそのまま測定対象穴３の中心位置となる。従って、特に熟練を要することなく測定対象穴３の中心を測定することが可能である。
【００３１】
なお、測定対象穴３は、貫通したものでもそうでないものでもよく、また、天井に設けられた穴に限らず、天井付近に縦方向に配置されたパイプの穴であってもよい。この場合は、パイプの外周面にアーム２の他端２ａを接触させて挟みこむようにして掛止させることができる。パイプの径が比較的大きい場合には、パイプの内側にアーム２を挿入し、アーム２を開いてその他端２ａをパイプの内周面に接触させて掛止させることができる。
【００３２】
以上がこの発明の好適な実施形態であるが、この発明は上述の実施形態の構成に限定されるものではなく、素材、形状、寸法等を適宜変更して実施することができる。
【符号の説明】
【００３３】
１  本体
２  アーム
３  測定対象穴
４  中心表示具
５  軸体
６  移動体
８  連結片
【図１】
2010196387.tif 000003
【図２】
2010196387.tif 000004
【図３】
2010196387.tif 000005
【図４】
2010196387.tif 000006